(57)【要約】【課題】保管及び運搬が容易な部分マネキンを低コストで提供する。【解決手段】上辺２、下辺３、左辺４及び右辺５の四辺を有し、左右ほぼ対称な四辺形のシートＳに、対向する上下の辺に跨るとともに当該シート内で互いに交差することない２本の折り線ｐ、ｑを設定し、左辺に近い折り線ａを谷折りもしくは山折り、右辺に近い折り線ｂを山折りもしくは谷折りに曲げ、左辺を折り線ｂに、右辺を折り線ａに各々接合したことを特徴とし、左右の辺４、５に面方向に突出した凸部４ａ、５ａがそれぞれ形成され、折り線ｐ、ｑにそれらの凸部と適合するスリット４ｂ、５ｂが形成され、前記凸部をスリットに差し込むことにより、前記接合がなされている。【選択図】図１
2011092241.tif 000002
【特許請求の範囲】
【請求項１】
上辺、下辺、左辺及び右辺の四辺を有し、左右ほぼ対称な四辺形のシートに、対向する上下の辺に跨るとともに当該シート内で互いに交差することない２本の折り線ｐ、ｑを設定し、左辺に近い折り線ａを谷折りもしくは山折り、右辺に近い折り線ｂを山折りもしくは谷折りに曲げ、左辺を折り線ｂに、右辺を折り線ａに各々接合したことを特徴とする部分マネキン。
【請求項２】
前記左右の辺に面方向に突出した凸部がそれぞれ形成され、折り線ｐ、ｑにそれらの凸部と適合するスリットが形成され、前記凸部をスリットに差し込むことにより、前記接合がなされている請求項１に記載の部分マネキン。
【請求項３】
前記シートの上下方向の中間位置に、左辺から折り線ａに至るまで切除して形成された第一の凹部と、折り線ｂから右辺に向かう途中まで切除して形成された穴と、右辺から折り線ｂに向かう途中まで切除して形成された第二の凹部とを備える請求項１または２に記載の部分マネキン。
【請求項４】
上下の辺及び折り線ｐ、ｑで囲まれる領域内における上下方向の一直線上に、小孔が形成された複数の爪が切り起こされ、それらの小孔に屈曲したもしくは塑性的に屈曲可能な棒が通されている請求項１〜３のいずれかに記載の部分マネキン。
【請求項５】
折り線ａ及び／又は折り線ｂからわずかに左辺より及び／又は右辺よりの、前記スリットと対応する位置に、第二のスリットが形成されている請求項２に記載の部分マネキン。
【発明の詳細な説明】
【技術分野】
【０００１】
この発明は、人体の一部を模した部分マネキンに関する。この部分マネキンは、特に衣類を展示するために胴体マネキンに補う腕、脚などの部分として好適に利用される。
【背景技術】
【０００２】
一般に、衣類を着せて展示するためのマネキンは樹脂を真空成形、射出成形、ブロー成形などすることにより製造される。いずれにしても金型が必要である。一方、マネキンには、各種のサイズ及び姿勢のものが求められる。かといって、各サイズ及び姿勢毎に全身の金型を製作していてはコスト高となるし、展示者にとっても限られた保管場所に望み通りの多くのマネキンを揃えるのは不可能であるうえ極めて不経済であった。
【０００３】
そこで、流体の出入りにより自在に膨張収縮させることができる材料で且つ複数の部材で構成したことにより、保管中の占有体積を少なくした分解組み立て自在のモデル（特許文献１）、手足のみ輪切り状の部材で継ぎ足し可能とすることにより、種々のサイズに対応したマネキン（特許文献２）、一枚のシートを全身の形状に折り曲げ加工することにより、保管及び運搬を容易にしたマネキン構造（特許文献３）、芯金の周囲に段ボール紙の波板を巻き付けることにより、折り曲げを容易にしたフレキシブルアーム（特許文献４）などが提案されている。
【先行技術文献】
【特許文献】
【０００４】
【特許文献１】特開平９−２１５５６６号公報
【特許文献２】特開２００１−２６９２５５号公報
【特許文献３】特開２００１−２９２８７６号公報
【特許文献４】特開２００２−１５３３６３号公報
【発明の概要】
【発明が解決しようとする課題】
【０００５】
しかし、特許文献１に記載のモデルは、流体を封入する袋状部が損傷すれば膨張させることができず、耐久性に劣る。特許文献２に記載のマネキンは、継ぎ足し部材も含めて全体が立体的形態を有しているので、依然として大きな保管場所を要する。特許文献３に記載のマネキン構造は、胴体の強度が弱いため自立困難で、実質的に吊り下げ式に限定されるうえ、形状が複雑すぎてユーザーが組み立て困難である。特許文献４に記載のフレキシブルアームは、アームの直径を人の腕程度に大きく設定すれば径方向の強度が弱すぎて形状維持が困難である。
それ故、この発明の課題は、保管及び運搬が容易な部分マネキンを低コストで提供することにある。
【課題を解決するための手段】
【０００６】
その課題を解決するために、この発明の部分マネキンは、
上辺、下辺、左辺及び右辺の四辺を有し、左右ほぼ対称な四辺形のシートに、対向する上下の辺に跨るとともに当該シート内で互いに交差することない２本の折り線ｐ、ｑを設定し、左辺に近い折り線ｐを谷折りもしくは山折り、右辺に近い折り線ｑを山折りもしくは谷折りに曲げ、左辺を折り線ｑに、右辺を折り線ｐに各々接合したことを特徴とする。
【０００７】
この部分マネキンは、展開状態（折り曲げ前）では四辺形のシートからなるので、保管場所を大きく占有しないし、運搬もしやすい。しかも折り曲げはユーザーの人力で行うことができるので、専用の機械を要しない。シートの材質は、プラスチック板、厚紙、金属板などのように、折り曲げ後もその形状を保つことのできる程度の剛性を有するものであればよい。四辺形のシートは、通常は打ち抜き、時には切断などの公知の方法で容易に得られる。そして、折り曲げ後は折り線ｐと左辺とで挟まれる領域がマネキンの前（又は後）面、折り線ｑと右辺とで挟まれる領域がマネキンの後（又は前）面として機能し、２本の折り線ｐ、ｑで挟まれる領域が前後面で囲まれてできる空洞部の径方向の撓みに抗する芯として機能する。従って、折り曲げ後の直径が人の腕や脚程度に大きく設定されていても形状が維持される。
【０００８】
左（右）の辺を折り線ｐ（ｑ）に接合する手段は、限定されず、粘着テープ、ステープラーなどが適用できる。好ましくは前記左右の辺に面方向に突出した凸部がそれぞれ形成され、折り線ｐ、ｑにそれらの凸部と適合するスリットが形成され、前記凸部をスリットに差し込むことにより、前記接合を行う。これにより、他の部材が不要となるし、強固に且つ容易に接合できるからである。
【０００９】
前記シートの上下方向の中間位置に、左辺から折り線ｐに至るまで切除して形成された第一の凹部と、折り線ｑから右辺に向かう途中まで切除して形成された穴と、右辺から折り線ｑに向かう途中まで切除して形成された第二の凹部とを備えると好ましい。これにより、シートに皺が生じることなく第一の凹部が閉じる方向に屈曲させることができ、容易に姿勢を変更できるからである。
また、上下の辺及び折り線ｐ、ｑで囲まれる領域内における上下方向の一直線上に、小孔が形成された複数の爪が切り起こされ、それらの小孔に屈曲したもしくは塑性的に屈曲可能な棒が通されていると好ましい。棒がシートの弾性復元力に抗して屈曲させられたシートの形態を保つからである。棒は通常、金属製であるが、竹製、木製、プラスチック製であってもよい。
更にまた、折り線ｐ及び／又は折り線ｑからわずかに左辺より及び／又は右辺よりの、前記スリットと対応する位置に、第二のスリットが形成されていると好ましい。左右の辺と折り線との接合時に凸部を差し込むスリットを選択して、二種類の直径のマネキンに対応できるからである。
【発明の効果】
【００１０】
この発明の部分マネキンは、シートからなるので、打ち抜きにしても切断にしても成形のための初期費用は真空成形、射出成形、ブロー成形などに比べて著しく安い。また、展開状態では平らなほぼ四辺形であるから、広い保管場所を要することはない。従って、少量多品種の生産に向いているし、ユーザーの選択肢を増やすことができる。
【図面の簡単な説明】
【００１１】
【図１】実施形態１に係る部分マネキンの展開図である。
【図２】同部分マネキンを展開状態から組み立てる中間過程を示す斜視図である。
【図３】組み立てられた同部分マネキンを示す斜視図である。
【図４】組み立てられた同部分マネキンの径方向断面図である。
【図５】組み立てられた同部分マネキンの屈曲状態を示す斜視図である。
【図６】実施形態２に係る部分マネキンの展開図である。
【図７】同部分マネキンの折り曲げ後且つ組み立て完了直前の状態を示す正面図である。
【図８】同部分マネキンの大腿部と下腿部との結合方法を示す図である。
【図９】実施形態３に係る部分マネキンの展開図である。
【図１０】実施形態４に係る部分マネキンの展開図である。
【発明を実施するための形態】
【００１２】
−実施形態１−
第一の実施形態を図面とともに説明する。図１は実施形態に係る部分マネキンの展開図、図２は同部分マネキンを展開状態から組み立てる中間過程を示す斜視図、図３は組み立てられた同部分マネキンを示す斜視図、図４は組み立てられた同部分マネキンの径方向断面図である。
【００１３】
部分マネキン１は、人体の１本の脚を模したもので展開状態では上辺２、下辺３、左辺４及び右辺５の四辺を有し、左右ほぼ対称な四辺形のシートＳからなる。シートＳは、厚さ０．５ｍｍの透明樹脂ポリプロピレン製シートをトムソン型で打ち抜くことにより、成形されている。上辺２及び下辺３は、正確には直線ではなく、ともに上方にわずかに膨らむ円弧をなし、上辺２が下辺３よりも長い。従って、左辺４及び右辺５は、上辺２から下辺３に向かうほど互いに近づくテーパをなしている。そして、シートＳには、対向する上下の辺２、３に跨るとともにシートＳ内で互いに交差することない２本の折り線ｐ、ｑを設定されている。折り線ｐ、ｑも上辺２から下辺３に向かうほど互いに近づくテーパをなしているが、左辺４と右辺５との関係よりは平行に近い。
【００１４】
また、左右の辺４、５には面方向に突出したキノコ状の凸部４ａ、５ａが上半部に左右４つずつ、下半部に同じく４つずつ合計１６個形成され、折り線ｐ、ｑにそれらの凸部４ａ、５ａと各々対応し且つ適合するスリット４ｂ、５ｂが形成されている。更にまた、シートＳは、第一の凹部４ｃ、穴５ｃ及び第二の凹部５ｄを有する。第一の凹部４ｃは、上半部の凸部４ａと下半部の凸部４ａとの間に、折り線ｐと折り線ｑとの間隔に匹敵する上下方向幅で左辺４から折り線ｐに至るまで帯状に切除し、更に折り線ｐを僅かに円弧状にえぐるように切除して形成されている。穴５ｃは、第一の凹部４ｃと同じ上下方向幅で折り線ｑから右辺に向かう途中まで切除して形成されている。穴５ｃの折り線ｑ側の端縁は第一の凹部４ｃの折り線ｐ側端縁と対称形をなし、右辺側端縁は半円形をなす。第二の凹部５ｄは、上半部の凸部５ａと下半部の凸部５ａとの間に、第一の凹部４ｃと同じ幅で右辺５から折り線ｑに向かう途中まで切除して形成され、折り線ｑ側端縁は半円形をなしている。第一の凹部４ｃと穴５ｃとの最小間隔は、穴５ｃと第二の凹部５ｄとの最小間隔にほぼ等しい。
【００１５】
部分マネキン１は、折り線ｐを谷折り（もしくは山折り）、折り線ｑを山折り（もしくは谷折り）にそれぞれ順不同で曲げ、左辺４と折り線ｐとの間を湾曲させて凸部４ａを対応する位置のスリット５ｂに（図２及び図４）、右辺５と折り線ｐとの間を湾曲させて凸部５ａを対応する位置のスリット４ｂに各々差し込むことにより、組み立てられる（図３及び図４）。スリット４ｂ、５ｂの長さは、凸部４ａ、５ａの胴部の幅よりも大きく頭部の幅よりも僅かに小さく設計されており、凸部の頭部を弾性変形させながら前記差し込みがなされる。組み立て後は折り線ｐと左辺４とで挟まれる湾曲領域がマネキンの後面、折り線ｑと右辺とで挟まれる湾曲領域がマネキンの前面として機能する。
【００１６】
部分マネキン１は、展開状態（折り曲げ前）では四辺形のシートＳからなるので、保管場所を大きく占有しないし、運搬もしやすい。しかも組み立て（折り曲げ）はユーザーの人力で行うことができるので、専用の機械を要しない。そして、２本の折り線ｐ、ｑで挟まれる領域が前後面で囲まれてできる空洞部の径方向の撓みに抗する芯として機能する。従って、折り曲げ後の直径が人の脚程度に大きく設計されているにも関わらず形状が維持される。また、スリット４ｂ、５ｂの長さが、凸部４ａ、５ａの頭部の幅よりも僅かに小さく設計されているので、組み立て後の前後面の湾曲部による弾性復元力程度では抜けない。
【００１７】
更に、部分マネキン１は、後面に第一の凹部４ｃが設けられているので、図５に斜視図で示すようにシートＳに皺が生じることなく第一の凹部４ｃが閉じる方向に屈曲させることができる。その結果、膝を折り曲げた姿勢に容易に変更できる。尚、図示の便宜上、図５では凸部は上半部及び下半部ともに３個ずつだけ表されている。
【００１８】
−実施形態２−
この実施形態の部分マネキンは、人体の１本の脚を模したものであるが、展開状態では大腿部と下腿部とが分離されていて、組み立て時に結合される。図６はこの実施形態に係る部分マネキンの展開図、図７は同部分マネキンの折り曲げ後且つ組み立て完了直前の状態を示す正面図、図８は大腿部と下腿部との結合方法を示す図である。
【００１９】
部分マネキン１０は、上シートＵ及び下シートＤからなり、両シートを平面視で上下に近接して配置すると上シートＵの上辺、下シートＤの下辺及び両シートの左右の辺が実施形態１における部分マネキン１の上辺２，下辺３及び左右の辺４、５に相当する。そして、部分マネキン１と同じく左右の辺及び２本の折り線に各々合計１６個の凸部及びスリットを有する。
【００２０】
但し、実施形態１では、第一の凹部４ｃと穴５ｃとの間、及び穴５ｃと第二の凹部５ｄとの間でシートＳが上下方向に連続していたが、この実施形態ではそれらに対応する部分でシートが上下に分離されている点で異なる。そして、上シートＵの下辺における折り線ｐと折り線ｑとで挟まれる部分、及び折り線ｑと右辺とで挟まれる部分は、上辺から遠ざかる方向に略三角状に突出しており、それぞれ下シートＤとの連結部６、７として機能する。また、下シートＤの上辺における折り線ｐと折り線ｑとで挟まれる部分、及び折り線ｑと右辺とで挟まれる部分も、下辺から遠ざかる方向に台形状に突出しており、それぞれ上シートＵとの連結部８、９として機能する。
【００２１】
連結部６、７の頂点は円弧状に形成されている。そして、各連結部６、７のほぼ中心位置に頂点を反転させた形状の切り込み６ａ、７ａが入れられている。一方、連結部８、９には方形の窓８ａ、９ａが開けられている。窓８ａ、９ａの上下方向の寸法は、連結部６、７の頂点から切り込み６ａ、７ａの中点までの距離よりも僅かに小さい。
部分マネキン１０は、上シートＵ及び下シートＤをそれぞれ実施形態１におけるシートＳと同様に折り曲げ、凸部をスリットに差し込むことにより、上シートＵ及び下シートＤが個別に組み立てられる。その後、図７に示すように連結部６、７の頂点及び切り込み６ａ、７ａを起こして窓８ａ、９ａに差し込むことにより、大腿部となる上シートＵと下腿部となる下シートＤとが連結される。
部分マネキン１０は、展開状態ではシートが上下に分離されているので、実施形態１における部分マネキン１よりも保存性及び運搬性に優れる。
【００２２】
−実施形態３−
この実施形態の部分マネキンは、脚の模型である点で実施形態１及び２と同じであり、単独で屈曲状態を維持できる点で異なるものである。図９はこの実施形態に係る部分マネキンの展開図である。
部分マネキン２０は、実施形態１の部分マネキン１と同質で同じ外形を有するが、部分マネキン１と異なり上下の辺２、３及び折り線ｐ、ｑで囲まれる領域内における上下方向の一直線上に、小孔２１ａが形成された６つの爪２１が切り起こされている。爪２１は、シートＳの上半部と下半部にそれぞれ３つ形成されている。
【００２３】
そして、シートＳの折り曲げ前後に、それらの小孔２１ａに棒（図示省略）が通される。棒が当初から屈曲したものであれば、棒を通すことにより、部分マネキン２０が棒に倣って屈曲し、膝を折り曲げた姿勢になる。また、当初は真っ直ぐな棒であってもアルミニウム製もしくは鉄製などの金属製であれば、棒を通した後に屈曲させることにより、部分マネキン２０が棒に倣って屈曲し、膝を折り曲げた姿勢になる。そして、棒がシートＳの弾性復元力に抗して屈曲させられたシートＳの形態を保つ。
【００２４】
−実施形態４−
この実施形態の部分マネキンは、脚の模型である点で実施形態１及び２と同じであり、直径を変更できる点で異なるものである。
図１０はこの実施形態に係る部分マネキンの展開図である。部分マネキン３０においては、折り線ｐ及び折り線ｑからわずかに左辺４より及び右辺５よりの、スリット４ｂ、５ｂと対応する位置に、第二のスリット４ｅ、５ｅが形成されている。これにより、組み立て時に凸部４ａ、５ａを差し込むスリットを選択して、二種類の直径のマネキンに対応できる。
【符号の説明】
【００２５】
１、１０、２０、３０  部分マネキン
２  上辺
３  下辺
４  左辺
５  右辺
６、７、８、９  連結部
ｐ、ｑ  折り線
４ａ、５ａ  凸部
４ｂ、５ｂ、４ｅ、５ｅ  スリット
２１  爪
【図１】
2011092241.tif 000003
【図２】
2011092241.tif 000004
【図３】
2011092241.tif 000005
【図４】
2011092241.tif 000006
【図５】
2011092241.tif 000007
【図６】
2011092241.tif 000008
【図７】
2011092241.tif 000009
【図８】
2011092241.tif 000010
【図９】
2011092241.tif 000011
【図１０】
2011092241.tif 000012